(57)【要約】  本発明の課題は、安定した形状精度と加工性を共に満足する切断刃を提供することにある。本発明の平刃状切断刃１は、平板状の基部５と、基部の端部に形成された切断実行部である刃先部７と、を有し、刃先部７の板厚方向の断面形状は、左右刃面に沿った２本の直線９ａ、９ｂの交点と刃先先端１１の最短距離が１μｍ以上、１０μｍ以下である。
2014050883.tif 000002
【特許請求の範囲】
【請求項１】
平板状の基部と、
前記基部の端部に形成された切断実行部である刃先部と、
を有し、
前記刃先部の板厚方向の断面形状は、
左右刃面に沿った２本の直線の交点と刃先先端の最短距離が１μｍ以上、１０μｍ以下であることを特徴とする平刃状切断刃。
【請求項２】
前記刃先部は、
前記基部の左右両面から互いに近づくように傾斜した左右刃面と、
前記左右刃面を結ぶように形成され、凸湾曲面を有する刃先先端と、
を有し、
少なくとも刃先先端部の断面形状が曲線を有することを特徴とする、請求項１に記載の平刃状切断刃。
【請求項３】
前記左右刃面に沿った２本の直線の交点と前記刃先先端の最短距離が１．５μｍ以上、５μｍ以下であることを特徴とする請求項１〜２のいずれか一項に記載の平刃状切断刃。
【請求項４】
前記左右刃面に沿った２本の直線の交差角度の内角が、４度以上、６０度以下であることを特徴とする請求項１〜３のいずれか一項に記載の平刃状切断刃。
【請求項５】
前記左右刃面に沿った２本の直線の交差角度の内角が、１０度以上、３０度以下であることを特徴とする請求項１〜４のいずれか一項に記載の平刃状切断刃。
【請求項６】
請求項１〜５のいずれか一項に記載の平刃状切断刃を有することを特徴とするグリーンシート切断刃。
【発明の詳細な説明】
【技術分野】
【０００１】
本発明は、平刃状切断刃およびグリーンシート切断刃に関する。
【背景技術】
【０００２】
積層セラミックコンデンサ、積層バリスタ、積層コイル、積層圧電アクチュエータ等を製造する方法として、誘電体セラミックス粉末とバインダの混合物を含むペースト状のシートを積層したもの（グリーンシートと呼ぶ）を個々の製品形状に切断した後、焼成し、両端に電極を取り付ける方法がある。【０００３】
ここで、コンデンサは近年スマートフォンを代表とする小型機対応のため小サイズ化の要求が増しており、そのため高度な形状精度を要求される。このような小サイズセラミックコンデンサを実現するためには、グリーンシートの切断加工の際に、可能な限り垂直な切断面を形成させることや、切断面に損傷を与えないことに留意する必要がある。【０００４】
グリーンシートの切断方法としては、ダイシング法と呼ばれる回転丸刃にて切断する方法と、平刃状切断刃を用いて切断するギロチン法とがある。【０００５】
ダイシング法は切断の精度こそギロチン法よりも高いものの、切削屑が出るために材料歩留がギロチン法より悪く、また切断速度も劣るという欠点があるため、切断後のグリーンシートの寸法が小さくなるほど、ギロチン法が有用となる。【０００６】
ここで、平刃状切断刃は、切断に寄与する切断実行部、即ち刃先部およびこの切断刃を切断装置に固定するために平行な面を有する基部（シャンクとも呼ぶ）を持つ形状である。【０００７】
平刃状切断刃には、切れ味よく（切断の際のせん断抵抗が小さく）、耐摩耗性があり、被切断物に対する耐溶着性があり、座屈に対し強度があり、さらに長寿命であること等が求められている（ここで言う「寿命」とは、チッピングにより被切断物の断面形状に傷が生じるに至った時点を言い、積層コンデンサ用切断刃の場合、積層膜の剥離が生じると切断刃の寿命となる）。【０００８】
例えば、特許文献１には刃先の断面形状に矢印形状の段差を設けることにより、垂直な切断面を形成可能とした構造が記載されている（特許文献１）。【０００９】
一方、せん断抵抗に関しては、特に刃先の形状が重要とされ、被切断物への損傷をも考慮し、薄刃で且つ刃先先端の角度は小さい方がよい。しかし薄刃になるほど強度が悪化することは避けられない。そのため現在用いられている切断刃は刃先から基部までの間に一段又は複数段の角度を付けることにより、最先端の刃先角度を大きくするなどの工夫がされている。【００１０】
例えば、特許文献２には刃先部を複数段の凹湾曲面で形成することにより、せん断抵抗を小さくし、座屈強度を高めた構造が開示されている（特許文献２）。
【先行技術文献】
【特許文献】
【００１１】
【特許文献１】実開昭６３−１９７０８９号公報
【特許文献２】特開平１０−２１７１８１号公報
【発明の概要】
【発明が解決しようとする課題】
【００１２】
しかしながら、特許文献２のような刃先を用いた場合でも、刃先先端の強度を確保するのは困難であった。【００１３】
また、平刃状切断刃は、例えばステンレスの他、超硬合金などの硬質材料が用いられているが、特に材質が硬質材料である場合剛性はあるものの、難切削材料であり且つ靱性が低く欠け易い。また、刃厚が薄い場合硬質材料であっても特に刃先先端部では加工中に砥石の押圧により刃が逃げようとすることなどから、加工性に優れた形状が求められる。しかしながら、特許文献１、２の構造では、精度の良い加工が容易ではなく、実用性の面では問題があった。【００１４】
本発明は上記課題に鑑みてなされたものであり、その目的は、安定した形状精度と切断性能を共に満足する切断刃を提供することである。
【課題を解決するための手段】
【００１５】
上記した課題を解決するため、本発明者は、刃先先端の強度の確保と、切断時のせん断抵抗の低下を両立できるか否かについて、検討した。【００１６】
その結果、刃先先端の形状を工夫することにより、刃先先端の強度を低下させることなく、切断時のせん断抵抗を低下させることが可能であることを見出し、本発明をするに至った。【００１７】
即ち、本発明の第１の態様は、平板状の基部と、前記基部の端部に形成された切断実行部である刃先部と、を有し、前記刃先部の板厚方向の断面形状は、左右刃面に沿った２本の直線の交点と刃先先端の最短距離が１μｍ以上、１０μｍ以下であることを特徴とする平刃状切断刃である。【００１８】
本発明の第２の態様は、第１の態様に記載の平刃状切断刃を有することを特徴とするグリーンシート切断刃である。
【発明の効果】
【００１９】
本発明によれば、安定した形状精度と切断性能を共に満足する切断刃を提供することができる。
【図面の簡単な説明】
【００２０】
【図１】平刃状切断刃１の形状の概略を示す側面図である。
【図２】図１の斜視図である。
【図３】平刃状切断刃１の先端形状を示す断面図である。
【図４】図３の連結部１５付近の拡大図である。
【図５】平刃状切断刃１の先端の加工方法を示す模式図である。
【図６】平刃状切断刃１の先端の加工方法を示す模式図である。
【発明を実施するための形態】
【００２１】
以下、図面を参照して本発明に好適な実施形態を詳細に説明する。
【００２２】
まず、図１〜図４を参照して本発明の実施形態に係る平刃状切断刃１の形状について、説明する。
【００２３】
ここでは平刃状切断刃１として、グリーンシート切断刃が例示されている。
【００２４】
図１および図２に示すように、平刃状切断刃１は、平面形状が長方形の平板状の基部５と、基部５の一方の長辺（一端部）に設けられ、被切断物１００を切断する切断実行部である平刃状の刃先部７を有している。
【００２５】
基部５は、切断装置の固定部３に、図示したように平行な直線部を有する被固定部５ａと、被固定部５ａと刃先部７を連結する連結部５ｂを有している。
【００２６】
なお、図１および図２では、平刃状切断刃１の長辺の長さをＬ、短辺の長さをＨ、刃先部７の高さをＨ１、平刃状切断刃１の厚さをＴと記載している。
【００２７】
また、図３に示すように、刃先部７は、基部５の左右両面（平板の両平面）から互いに（板厚方向に）近づくように傾斜した左刃面９ａ、右刃面９ｂと、左刃面９ａと右刃面９ｂを結ぶように形成された刃先先端１１を有している。
【００２８】
ここで、図３に示すように、刃先部７の板厚方向の断面形状は、左刃面９ａと右刃面９ｂに沿った２本の直線１３ａ、１３ｂの交点と、刃先先端１１の最短距離Ｘが１μｍ以上、１０μｍ以下であるのが望ましい。
【００２９】
上記値が１μｍ未満の場合、刃先に欠けが発生し易い。一方、１０μｍを超える場合、刃先が被切断物１００へ入り込む際に大きな切断抵抗が生じる。さらに摩耗による短寿命となり易い。より好ましくは、１．５μｍ以上、５μｍ以下である。
【００３０】
また、図３に示すように、平刃状切断刃１は、刃先先端部１１に丸みを予め有している。換言すれば、刃先先端部１１は凸湾曲面を有する。凸湾曲面とは、ここでは外側に膨らんだ曲面形状を意味する。このように、刃先先端部１１に丸みを有する構造とすることにより、刃先の強度と低切断抵抗を両立させることができる。また、図４に示すように、左刃面９ａ、右刃面９ｂと刃先先端１１の接続部１５の板厚方向の断面形状が曲線を有すると低切断抵抗となりより良いが２つの直線からなる形状でも良い。
【００３１】
また、左刃面９ａと右刃面９ｂは、左右対称であり、具体的には、図３に示すように、刃先部先端角度が、左刃面９ａ、右刃面９ｂに沿った２本の直線１３ａ、１３ｂと板厚方向の中心線２１（板厚方向の中心を通り、かつ短辺方向に平行な直線）との角度α１、α２を測定した場合、その角度差が±０．３度以内であるのが望ましい。
【００３２】
これは、左右非対称な形状である場合、切断の際に向きを考慮しなければならず、作業性にも影響するためである。
【００３３】
さらに、左刃面９ａと右刃面９ｂに沿った２本の直線１３ａ、１３ｂの交差角の内角θ（即ちα１＋α２）は、４度以上、６０度以下であるのが望ましい。
【００３４】
これは、θが４度未満の場合、切断抵抗は小さくなるが、刃先のチッピングが発生し易くなり、切断面に悪影響を与えたり、寿命が悪化したりするためである。
【００３５】
また、θが６０度を超える場合、刃先が被切断物１００へ入り込む際に大きな負荷が生じ耐座屈性や耐摩耗性に劣ることになる。またこのような場合、被切断物１００の塑性変形量は大きくなることになり、被切断物１００の表面に傷を生じさせ易くなり、さらには切断面が垂直にならず斜めになり易くなり、且つ切断抵抗が大きくなるためである。
【００３６】
なお、刃先の強度の確保と低切断抵抗を両立する観点からは、角度θは、１０度以上、３０度以下であるのがより望ましい。
【００３７】
以上が平刃状切断刃１の形状の説明である。
【００３８】
なお、平刃状切断刃１を構成する材料は、被切断物に応じて適宜選択されるものであるが、具体的な材料としては、例えば炭素工具鋼やＷＣ-Ｃｏ系の超硬合金等が挙げられる。
【００３９】
次に、平刃状切断刃１の刃先部７の加工方法について説明する。
【００４０】
平刃状切断刃１の刃先部７の加工方法は、上記した刃先形状の加工が可能なものであれば、特に限定されるものではないが、以下のような方法を例示することができる。
【００４１】
まず、基部５の連結部５ｂの先端（長辺）に直線的な加工を行い、左刃面９ａ、右刃面９ｂおよび直線１３ａ、１３ｂを形成する。
【００４２】
この直線的な加工は、例えば砥石による研磨等によりなされる。
【００４３】
次に、刃先部７に刃先先端１１を形成するための加工を行う。
【００４４】
前述のように、刃先先端１１の形状は、曲線形状を有しているため、左刃面９ａおよび右刃面９ｂを形成する場合のように、砥石による加圧加工では、刃先が薄すぎるため、加工時に刃先が砥石から逃げ易く、安定した加工は容易ではない。
【００４５】
そのため、刃先先端１１の加工は、（１）砥粒（硬質材料）を有する溶液中で刃先先端１１を形成する方法、あるいは（２）砥粒またはその他の硬質材料、即ち金属粉やセラミックス粉を混合した固形物を用いて刃先先端１１を形成する方法等がある。
【００４６】
以下、具体的な加工方法について説明する。
【００４７】
まず、（１）の方法とは、図５に示すように、適当な容器２０３内に、砥粒としての硬質材料を有する溶液２０１を満たし、溶液２０１の中へ平刃状切断刃１の刃先部７のみを浸漬させ、刃渡り方向に一定時間往復スライドさせることにより、溶液２０１中の硬質材料と刃先部７を接触させることにより加工を行い、刃先先端１１を形成する方法である。
【００４８】
ここで硬質材料の具体例としては、高硬度のダイヤモンド粒が短い加工時間で済むことから望ましいが、その他の金属粉やセラミックス粉であっても構わない。
【００４９】
また、溶液２０１の溶媒は例えば水である。
【００５０】
次に、（２）の方法とは、図６に示すように、硬質材料粉を混合した固形物２０５を平刃状切断刃１で切断することにより、固形物２０５中の硬質材料と刃先部７を接触させて加工を行い、刃先部７に刃先先端１１を形成する方法である。
【００５１】
ここで、固形物２０５としては、例えば、粘土質材料が挙げられる。
【００５２】
また、硬質材料としてはダイヤモンド、Ｗ、Ｍｏ、ＷＣ、Ａｌ２Ｏ３、ＴｉＯ２、ＴｉＣ、ＴｉＣＮ、ＳｉＣ、Ｓｉ３Ｎ４、ＢＮ等の粉末が例として挙げられる。
【００５３】
これらの硬質材料の粉末粒径は、二次粒子の平均粒径がＦｓｓｓ（Fisher Sub-Sieve Sizer）粒度で１μｍ以下であるのが好ましい。これは、１μｍを超えると刃先表面の加工において、欠けが発生する可能性があるためである。また微粒である程、平刃状切断刃の形状精度的に好ましいが、加工に時間を要するため、この範囲内において当初１μｍに近いサイズの粒子にて加工し、仕上げとしてより微細な１μｍ未満のサイズの硬質材料粒子にて加工することがより好ましい。微粒で均一に分散していることにより、均一な刃先の可能が可能となる。
【００５４】
以上が平刃状切断刃１の刃先部７の加工方法例の説明である。
【００５５】
このように、本実施形態によれば、平刃状切断刃１の切断実行部である刃先部７は、基部５の左右両面から互いに近づくように傾斜した左刃面９ａ、右刃面９ｂと、左刃面９ａと右刃面９ｂを結ぶように形成された刃先先端１１を有し、左刃面９ａと右刃面９ｂに沿った２本の直線１３ａ、１３ｂの交点と、刃先先端１１の最短距離は１μｍ以上、１０μｍ以下である。
【００５６】
そのため、平刃状切断刃１は、安定した形状精度と切断性能を共に満足することができる。
【実施例】
【００５７】
以下、実施例に基づき、本発明をさらに詳細に説明する。【００５８】
（実施例１）
砥粒を有する溶液中で刃先先端１１を形成する方法にて製造した平刃状切断刃１を用いた切断試験を行い、刃先先端１１の形状のチッピング性、摩耗性および切断面への影響を評価した。具体的な手順は以下の通りである。【００５９】
＜平刃状切断刃１の加工＞
まず、刃渡り方向長さＬが１００ｍｍ、短辺方向長さＨが２０ｍｍ、厚さＴが０．１ｍｍ（図１、２参照）で材質が株式会社アライドマテリアル製超硬合金ＦＭ１０Ｋからなる平板状の板材を用意し、砥石を用いた既存の技術にて、長辺の一方に、厚さ方向の断面に対し左右対称となるように研磨加工を行い、直線からなる左刃面９ａ、１３ａおよび右刃面９ｂ、１３ｂを形成した。このとき刃面９a、１３ａと９ｂ、１３ｂは角度θを形成する。【００６０】
次に、平刃状切断刃１を、図５に示すように砥粒としての硬質材料を有する溶液２０１中へ刃先部７のみを浸漬させ、刃渡り方向に一定時間往復スライドさせ、刃先先端１１を形成した。【００６１】
硬質材料を有する溶液としては、ワダトレーディング株式会社製研磨ダイヤモンドスラリーＰＣ−１−Ｗ（Ｆｓｓｓ粒度１μｍ）を用い、仕上げとしてＰＣ−Ｎ１００−Ｗ（粒度０．１μｍ）を用いた。【００６２】
なお、図示はしていないが、溶液２０１（水溶液）は刃先加工に影響を与えないように留意して均一な濃度となるように撹拌を施しながらスライドを行い、スライド時間を調整して、図３に示す刃先先端１１を有する平刃状切断刃１を得た。【００６３】
＜平刃状切断刃１の評価＞
次に、平刃状切断刃１の評価を以下の手順で行った。【００６４】
まず、切断対象となる材料を用意した。【００６５】
ここで、上記のように、平刃状切断刃１は主にグリーンシート用の切断刃であるが、被切断物としては、加速試験を行なうため、油粘土に金属粉末を混合したものを用意した。これは、製品のグリーンシートは製品毎の特性（せん断抵抗等の機械的強度）の差異が大きく、代表的な特性を持つグリーンシートを被切断物として選ぶのが困難であり、簡易的に評価するためでもある。【００６６】
なお、金属粉末はグリーンシート中のセラミックス粉末に対応した材料であり、油粘土はグリーンシート中のバインダに対応した材料とみなした。【００６７】
具体的な被切断物の製造方法および切断試験の手順は以下の通りである。【００６８】
まず、中部電磁器工業株式会社製油粘土ポピーに対し、Ｆｓｓｓ粒度１μｍのＷ粉末を重量比で１００：２０となるようにして乳鉢にて均一となるように混合した。【００６９】
次に、この混合物をプレス圧１０ｋｇ/ｃｍ２で厚さ１ｍｍに成形し被切断物とした。【００７０】
次に、図１に示すように、平刃状切断刃１を切断装置に組み込み、切断刃の降下速度を１０ｍｍ/秒として、被切断物を連続的に切断した。ここで連続的に切断する際に、被切断物が同じ水平位置で２回切断されないように、平刃状切断刃１が上昇する度に、水平方向に５ｍｍ移動できるようにした。図６に略図を示した。【００７１】
なお、被切断物を完全に切断するために被切断物の下部には、被切断物より硬度が低いものが必要であり、東洋濾紙株式会社製定性ろ紙グレードＮｏ.１を敷いた。【００７２】
切断前の最短距離Ｘ（左刃面９ａと右刃面９ｂに沿った２本の直線１３ａ、１３ｂの交点と、刃先先端１１の最短距離）と、上記切断を１０００回行った後の刃先の状態を表１に示した。【００７３】
評価の確認としては、１０００回切断後の刃先のチッピングの有無、刃先の摩耗度合、被切断物の切断面の状態の確認を行った。【００７４】
具体的には、チッピングの有無は刃渡り方向の全面を拡大し観察し、欠けが見られない、または５μｍ未満の欠けがある場合を「○」、５μｍ以上、１０μｍ未満の欠けがある場合を「△」、１０μｍ以上の欠けがある場合を「×」と判断した。観察はオリンパス製顕微鏡ＳＴＭ６-ＬＭにて倍率２００倍で観察をした。【００７５】
また、刃先の摩耗度合は、前記顕微鏡にて図２のＨ１の距離が切断開始前に比較し５μｍ以下短くなった場合を「○」、５μｍを超え１０μｍ以下短くなった場合を「△」、１０μｍを超えて短くなった場合を「×」として判断した。切断物の切断面の状態もまた顕微鏡にて観察し、１０００回目の切断面の傷について、幅５μｍ以上の傷が見られる場合を「×」、その他を「○」と判断した。【００７６】
【表１】
2014050883.tif 000003
【００７７】
表１から明らかなように、最短距離Ｘが１〜１０μｍの試料（実施例１〜１６）は刃先のチッピングの有無、刃先の摩耗度合、被切断物の切断面の状態のいずれも「△」または「○」の評価であった。【００７８】
一方で最短距離Ｘ１〜１０μｍ、刃先角度４〜６０度の少なくとも一方がこの範囲を外れている試料（比較例１〜４）は刃先のチッピングの有無、刃先の摩耗度合、被切断物の切断面の状態のいずれか（あるいは全て）が「×」評価となっていた。【００７９】
また、比較例３および４の試料は切断物の切断面の状況はよいものの、被切断物の切断角度は８７度未満であり、垂直に切断されていなかった（これを表１では「斜め」と記載した）。これはＸが上記範囲を外れているのに加え、刃先角度が大きい（６０度以上である）ため、切断刃が被切断物に入った際に強制的に押し広げているために生じたものと考えられた。なお実施例および比較例の評価前の切断刃の断面を観察した結果、左右刃面の中心線に対する角度差は±０．３度以内であり、図４の連結部１５は曲線を有していた。【００８０】
（実施例２）
実施例２において、刃先先端１１を形成するための加工として、固形物を用いて刃先先端１１を形成する方法を用いて刃先先端１１を形成し、切断試験を行った。具体的な手順は以下の通りである。【００８１】
まず、実施例１と同様の板材を、砥石を用いた既存の技術にて、厚さ方向の断面に対し左右対称となるように研磨加工を行い、直線からなる左刃面９ａ、１３ａおよび右刃面９ｂ、１３ｂを形成した。このとき左刃面９ａ、１３ａおよび右刃面９ｂ、１３ｂは角度θを形成する。【００８２】
次に、刃先の加工に用いる固形物として、中部電磁器工業株式会社製油粘土ポピーに対し、昭和電工株式会社製Ｆ３グレードの酸化チタン粉末を重量比で１００：５０となるようにして乳鉢にて均一となるように混合したものを用意した。この混合物をプレス圧１０ｋｇ/ｃｍ２で厚さ１ｍｍに成形した。【００８３】
ここで、酸化チタンの比表面積ＢＥＴ（Brunauer,Emmet and Teller）値は３６ｍ２/ｇであり、株式会社日立ハイテクノロジーズ  電界放射型走査電子顕微鏡  Ｓ−４２０を用いた２万倍での走査電子顕微鏡観察では１次粒子は０．１μｍ未満であった。【００８４】
この固形物を被切断物として、図１に示すように、平刃状切断刃１を切断装置に組み込み、切断刃の降下速度を５ｍｍ/秒として連続的に切断した。ここで連続的に切断する際に、被切断物が同じ水平位置で２回切断されないように、平刃状切断刃１が上昇する度に、水平方向に移動できるようにした（図６参照）。切断回数を調整して、表２に示すような形状に刃先先端１１を調整した。【００８５】
次に、得られた平刃状切断刃１で、実施例１と同様の材料を切断し、実施例１と同様に、刃先のチッピングの有無、刃先の摩耗度合、被切断物の切断面の状態の確認を行った。【００８６】
結果を表２に示す。
【表２】
2014050883.tif 000004
【００８７】
表２から明らかなように、最短距離Ｘが１〜１０μｍの試料（実施例１７〜２４）は刃先のチッピングの有無、刃先の摩耗度合、被切断物の切断面の状態のいずれも「△」または「○」の評価であり、実施例１と同様の結果が得られた。なお実施例および比較例の評価前の切断刃の断面を観察した結果、左右刃面の中心線に対する角度差は±０．３度以内であり、図４の連結部１５は曲線を有していた。
【産業上の利用可能性】
【００８８】
以上、本発明を実施形態および実施例に基づき説明したが、本発明は上記した実施形態に限定されることはない。【００８９】
当業者であれば、本発明の範囲内で各種変形例や改良例に想到するのは当然のことであり、これらも本発明の範囲に属するものと了解される。
【符号の説明】
【００９０】
１        ：平刃状切断刃
３        ：切断装置固定部
５        ：基部
５ａ      ：被固定部
５ｂ      ：連結部
７        ：刃先部
９ａ      ：左刃面
９ｂ      ：右刃面
１１      ：刃先先端
１５      ：接続部
２１      ：中心線
１００    ：被切断物
２０１    ：溶液
２０３    ：容器
２０５    ：固形物
Ｘ        ：最短距離
α１            ：角度
α２       ：角度
θ        ：内角
【図１】
2014050883.tif 000005
【図２】
2014050883.tif 000006
【図３】
2014050883.tif 000007
【図４】
2014050883.tif 000008
【図５】
2014050883.tif 000009
【図６】
2014050883.tif 000010
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
ＷＣ-Ｃｏ系の超硬合金で構成され、
平板状の基部と、
前記基部の端部に形成された切断実行部である刃先部と、
を有し、
前記刃先部の板厚方向の断面形状は、
左右刃面に沿った２本の直線の交点と刃先先端の最短距離が１μｍ以上、１０μｍ以下であることを特徴とする平刃状切断刃を有するグリーンシート切断刃。
【請求項２】
前記刃先部は、
前記基部の左右両面から互いに近づくように傾斜した左右刃面と、
前記左右刃面を結ぶように形成され、凸湾曲面を有する刃先先端と、
を有し、
少なくとも刃先先端部の断面形状が曲線を有することを特徴とする、請求項１に記載の平刃状切断刃を有するグリーンシート切断刃。
【請求項３】
前記左右刃面に沿った２本の直線の交点と前記刃先先端の最短距離が１．５μｍ以上、５μｍ以下であることを特徴とする請求項１〜２のいずれか一項に記載の平刃状切断刃を有するグリーンシート切断刃。
【請求項４】
前記左右刃面に沿った２本の直線の交差角度の内角が、４度以上、６０度以下であることを特徴とする請求項１〜３のいずれか一項に記載の平刃状切断刃を有するグリーンシート切断刃。
【請求項５】
前記左右刃面に沿った２本の直線の交差角度の内角が、１０度以上、３０度以下であることを特徴とする請求項１〜４のいずれか一項に記載の平刃状切断刃を有するグリーンシート切断刃。
【国際調査報告】
2014050883.tif 000011
2014050883.tif 000012
2014050883.tif 000013
2014050883.tif 000014